(57)【要約】      （修正有）【課題】補助脚が不要で、外観的にすっきりとした腰掛可能なステッキを提供する。【解決手段】上方に取手３０を、下方にステッキ部１０を有し、ステッキ部の上方の取手は、上下左右方向に広がる平面３１を含むステッキである。ステッキ部の上端のキャップ部１２と、キャップ部の前後に、ステッキ部下方に対してそれぞれ直角より大きい角度で固定された前方台座１４Ｆ及び後方台座１４Ｂと、キャップ部の前後に取り付けられて、それぞれ前方及び後方台座２０Ｂの上方で開閉可能な前方座面２０Ｆ及び後方座面２０Ｂを含み、前方及び後方座面が閉状態で、それぞれの上面同士が固着されて取手を形成し、開状態で、下面をそれぞれ前方及び後方台座に支持されて、上面がステッキ部下方に対して凸状となる前後一対の座面を形成し、使用者が前方台座と後方台座とを股から前後に突出させて跨ることができる腰掛可能なステッキ。【選択図】図７
2019180704.tif 000002
【特許請求の範囲】
【請求項１】
上方に取手を、下方にステッキ部を有し、
該ステッキ部の上方に取り付けられた該取手は、該ステッキ部と平行に上下左右方向に広がる平面を含み、該取手が含む該平面に垂直な方向を前後方向とするステッキであって、
前記ステッキ部の上端に固定されたキャップ部と、
前記キャップ部の前後に、ステッキ部下方に対してそれぞれ直角より大きい角度で固定された前方台座及び後方台座から成る一対の台座と、
共に上面と下面を有し、前記キャップ部の前後に取り付けられて、それぞれ前記前方台座及び前記後方台座の上方で開閉可能な前方座面及び後方座面と、
を含み、
前記前方座面及び前記後方座面が、
閉状態で、それぞれの前記上面同士が固着されて前記取手を形成し、
開状態で、共に前記下面をそれぞれ前記前方台座及び前記後方台座に支持されて、上面が前記ステッキ部下方に対して凸状となる前後一対の座面を形成し、
使用者が前記前方座面と前記後方座面とを股から前後方向に突出させて跨ることができる、腰掛可能なステッキ。
【請求項２】
前記前方座面及び前記後方座面は、共に、短辺と長辺と２つの斜辺から成る台形状の板状体であり、
該前方座面及び該後方座面の該短辺同士を前記キャップ部側で対向させて、前後一対の前記座面を形成した、請求項１に記載の腰掛可能なステッキ。
【請求項３】
前記前方座面及び前記後方座面は、前記キャップ部の前後に蝶番により取り付けられた、請求項１に記載の腰掛可能なステッキ。
【請求項４】
前記前方座面及び前記後方座面は、前記前方台座及び前記後方台座の上面にそれぞれ蝶番により取り付けられた、請求項１に記載の腰掛可能なステッキ。
【請求項５】
前記取手は、該取手が含む前記平面に垂直な前後方向に貫通するグリップ穴を有する、請求項１に記載の腰掛可能なステッキ。
【請求項６】
上方固着面と下方引掛け面とを有し、
前記一対の台座の少なくともいずれか一方の台座の前記下面に該上方固着面を当接させて固着し、該下方引掛け面を前記ステッキ部下方に対して直角以下となるように配置した引掛け具を備えた、請求項１に記載の腰掛可能なステッキ。
【請求項７】
前記ステッキ部は外筒と内筒を有し、該外筒と該内筒のスライドにより該ステッキ部の全長を伸縮可能とした、請求項１に記載の腰掛可能なステッキ。
【請求項８】
前記前方座面と前記後方座面のそれぞれ上面に雌雄の面ファスナーが設けられ、前記座面が、閉状態で該前方座面と該後方座面とが固着される、請求項１に記載の腰掛可能なステッキ。
【請求項９】
前記前方座面と前記後方座面にＮ極とＳ極の磁石が備えられ、前記座面が、閉状態で該前方座面と該後方座面とが固着される、請求項１に記載の腰掛可能なステッキ。
【請求項１０】
前記前方座面と前記後方座面とが上面同士で固着された閉状態で取手を形成した、請求項１に記載の腰掛可能なステッキを準備するステップと、
前記前方座面と前記後方座面とを開いて、それぞれの下面を前記前方台座と前記後方台座に支持させて開状態とし、座面を形成するステップと、
前記ステッキ部の外筒と内筒のスライドにより該ステッキ部の全長を調節するステップと、
前記前方座面と前記後方座面とを、それぞれ前後に突出させて、前記座面に跨るステップと、
を含む、腰掛可能なステッキの腰掛け方法。
【請求項１１】
前記前方座面と前記後方座面のそれぞれの下面が前記前方台座と前記後方台座に支持された開状態で前記座面を形成した、請求項１に記載の腰掛可能なステッキを準備するステップと、
前記前方座面と前記後方座面の上面同士を固着させた閉状態で取手を形成するステップと、
前記ステッキ部の外筒と内筒のスライドにより該ステッキ部の全長を調節するステップと、
を含む、腰掛可能なステッキの使用方法。
【発明の詳細な説明】
【技術分野】
【０００１】
本発明は、椅子としても使用しうるステッキに関するものである。
【背景技術】
【０００２】
従来から、座面を支柱に取り付けて、椅子や腰掛けとして利用できるようにした杖やステッキは種々考案されている。従来の腰掛け兼用のステッキないし杖は、椅子として機能させる場合、ステッキの支柱に装着された複数の補助脚を開脚等して安定性を得るものが多く、また座面の取り付け位置については支柱の途中への設置が多くみられる。
【０００３】
例えば特許文献１に係るステッキは、開脚可能な複数の脚を軸支した第１の支柱と、この複数の脚を結束するために当該脚の先端に着脱自在に取り付けられた弾性部材と、第１の支柱に折曲自在に取り付けられた第２の支柱と、この第２の支柱の側面に取り付けられた腰掛部と、第２の支柱の先端部に取り付けられたグリップとを設けたものである。全体が１本の支柱で構成されているが、その支柱の筒体内に収まる範囲内に複数の脚を装着し、腰掛け部が杖の途中に取りつけられ、腰掛使用時には脚基部を中心に脚が放射状に開いて、グリップ部を取り付けた支柱上部が腰掛け部で折れ曲がる構成である。しかし、杖として使用する際に、座面が取手のすぐ下に位置していて杖としての美観が著しく損なわれる感がある。
【０００４】
また、特許文献２に係る椅子になる杖は、外筒および内筒から成る筒体の上端にグリップ孔を有し、取手兼座面となるべき折りたたみ式の板状体を装着し、内筒下端部に挿入した折りたたみ式椅子脚を外筒で覆い、外筒と内筒のスライドにより杖の全長を伸縮させる機能を有する。そして、杖使用時には取手兼座面中央部を支点に二つ折りにして垂直に固定し、椅子使用時には取手を開いて水平座面となし、内筒下端部に設けた椅子脚を放射状に開き付随する補強用支えを外筒と連結して筒体を垂直に保持する。
【０００５】
上記特許文献１に係るステッキは、支柱部分が多脚を備えているため通常の杖と比べて重く、また上述のように美観的にも杖としては使いづらいものである。また、特許文献２に係る椅子になる杖は、座面が支柱の上端に取り付けており、外観的には通常の杖に近いものであるが、補助足を杖先に収納するため、これも重量感は否めない。
【０００６】
以上のような、特許文献１や特許文献２を含む従来の腰掛け兼用のステッキないし杖は、いずれも座面を水平に設定して、これに両尻を載せて休息することを前提とした設計であった。すなわち、従来の腰掛け兼用のステッキないし杖は、座面を腰掛時に地面と水平に保持する必要があり、いずれの座面も平板であるという特徴があった。そのため、腰かけた使用者が後頭部から落ちないように、椅子として用いるステッキ自身が安定して立脚しなければならないために多数の脚でバランスを確保する必要があり、重量と美観の点でデメリットがあった。
【０００７】
【特許文献１】実開平５−８２３１２号公報
【特許文献２】特開２０１７−３５４１６号公報
【発明の概要】
【発明が解決しようとする課題】
【０００８】
本発明は、ステッキ上方に取手兼座面を備えた１本の棒体とし、跨って足を休めるため補助脚が不要で、外観的にすっきりとした腰掛可能なステッキを提供する。
【課題を解決するための手段】
【０００９】
本発明に係る腰掛可能なステッキは、上方に取手を、下方にステッキ部を有し、該ステッキ部の上方に取り付けられた該取手は、該ステッキ部と平行に上下左右方向に広がる平面を含み、該取手が含む該平面に垂直な方向を前後方向とするステッキであって、
前記ステッキ部の上端に固定されたキャップ部と、前記キャップ部の前後に、ステッキ部下方に対してそれぞれ直角より大きい角度で固定された前方台座及び後方台座から成る一対の台座と、共に上面と下面を有し、前記キャップ部の前後に取り付けられて、それぞれ前記前方台座及び前記後方台座の上方で開閉可能な前方座面及び後方座面と、を含み、
前記前方座面及び前記後方座面が、閉状態で、それぞれの前記上面同士が固着されて前記取手を形成し、開状態で、共に前記下面をそれぞれ前記前方台座及び前記後方台座に支持されて、上面が前記ステッキ部下方に対して凸状となる前後一対の座面を形成し、使用者が前記前方座面と前記後方座面とを股から前後方向に突出させて跨ることができる。
【００１０】
本発明に係る腰掛可能なステッキにおいて、前記前方座面及び前記後方座面は、共に、短辺と長辺と２つの斜辺から成る台形状の板状体であり、該前方座面及び該後方座面の該短辺同士を前記キャップ部側で対向させて、前後一対の前記座面を形成するのが好適である。。
【００１１】
本発明に係る腰掛可能なステッキは、前記前方座面及び前記後方座面は、前記キャップ部の前後に蝶番により取り付けられてよい。あるいは、前記前方座面及び前記後方座面は、前記前方台座及び前記後方台座の上面にそれぞれ蝶番により取り付けられてもよい。
【００１２】
本発明に係る腰掛可能なステッキにおいて、前記取手は、該取手が含む前記平面に垂直な前後方向に貫通するグリップ穴を有する。
【００１３】
本発明に係る腰掛可能なステッキは、上方固着面と下方引掛け面とを有し、前記一対の台座の少なくともいずれか一方の台座の前記下面に該上方固着面を当接させて固着し、該下方引掛け面を前記ステッキ部下方に対して直角以下となるように配置した引掛け具を備えてもよい。
【００１４】
本発明に係る腰掛可能なステッキにおいて、前記ステッキ部は外筒と内筒を有し、該外筒と該内筒のスライドにより該ステッキ部の全長を伸縮可能とし得る。
【００１５】
本発明に係る腰掛可能なステッキは、前記前方台座と前記後方台座のそれぞれ上面に雌雄の面ファスナーが設けられ、前記台座が、閉状態で該前方台座と該後方台座とが固着され得る。
【００１６】
本発明に係る腰掛可能なステッキは、前記前方台座と前記後方台座にＮ極とＳ極の磁石が備えられ、前記台座が、閉状態で該前方台座と該後方台座とが固着されてもよい。
【００１７】
本発明に係る腰掛可能なステッキの腰掛け方法は、前記前方座面と前記後方座面とが上面同士で固着された閉状態で取手を形成した、前記記載の腰掛可能なステッキを準備するステップと、
前記前方座面と前記後方座面とを開いて、それぞれの下面を前記前方台座と前記後方台座に支持させて開状態とし、台座を形成するステップと、
前記ステッキ部の外筒と内筒のスライドにより該ステッキ部の全長を調節するステップと、
前記前方座面と前記後方座面とを、それぞれ前後に突出させて、前記座面に跨るステップと、
を含む。
【００１８】
本発明に係る腰掛可能なステッキの使用方法は、前記前方座面と前記後方座面のそれぞれの下面が前記前方台座と前記後方台座に支持された開状態で座面を形成した、上記腰掛可能なステッキを準備するステップと、
前記前方座面と前記後方座面の上面同士を固着させた閉状態で取手を形成するステップと、
前記ステッキ部の外筒と内筒のスライドにより該ステッキ部の全長を調節するステップと、
を含む。
【発明の効果】
【００１９】
本発明に係る腰掛可能なステッキは、前方座面及び後方座面の閉状態で、杖として使用することができる。前方座面と後方座面とは、雌雄の面ファスナー等により固着されて取手として機能するが、この取手には前後方向に貫通するグリップ穴が設けられており、本発明の腰掛可能なステッキの使用者が指を通して握って使用することができる。
【００２０】
また、本発明に係る腰掛可能なステッキは、前方座面及び後方座面の開状態で、椅子として使用することができる。前方座面及び後方座面は、この開状態で下方に向かって凸型に開き、下方に固定された台座に支持されるので、本発明の腰掛可能なステッキの使用者は、前方座面と後方座面とを股からそれぞれ前後方向に突出させて座面に跨り、足を休めて休息をとることができる。
【００２１】
本発明に係る腰掛可能なステッキは、従来の椅子兼用の杖と異なり座面に跨って用いるため、ステッキ部に加えて両足を使って、全体として３脚でバランスをとることができるので、公知例のように安定性を保持するための補助脚を必要としない。そのため、ステッキ部は補助脚を収容する必要がなく、ステッキ部として通常の杖と同様の棒体を用いることができ、美観的にも重量的にも優れた効果を奏することができる。更に、前方座面及び後方座面が開状態で形成する座面は、上記のように下方に向かって凸型、即ち上方に向かって凹状となるため、前方座面及び後方座面を前後に突出させて座面に跨る使用者が安定して跨ることができる。
【００２２】
以上のように、本発明に係る腰掛可能なステッキは、外観上はすっきりとした杖の形状を保ち歩行を補助するステッキとして機能するが、取手を構成する前方座面と後方座面とを開いて腰掛け座面を容易に得ることができる。したがって、遊園地や万博、あるいはバス停や飲食店などで行列に並ぶ際などに手軽に座面を形成して、これに跨って小休息することができる。
【図面の簡単な説明】
【００２３】
【図１】本発明に係る腰掛可能なステッキの前方座面と後方座面とを閉状態として、杖として使用する場合の正面図。
【図２】本発明に係る腰掛可能なステッキの前方座面と後方座面とを開状態として、椅子として使用する場合の正面図。
【図３】実施例に係る本発明の腰掛可能なステッキにおいて、前方座面と後方座面とを、（ａ）閉状態として杖として使用する場合の部分拡大正面図、 （ｂ）開状態として椅子として使用する場合の部分拡大正面図。
【図４】他の実施例に係る本発明の腰掛可能なステッキにおいて、前方座面と後方座面とを、（ａ）閉状態として杖として使用する場合の部分拡大正面図、 （ｂ）開状態として椅子として使用する場合の部分拡大正面図。
【図５】本発明に係る腰掛可能なステッキの平面図。
【図６】本発明に係る腰掛可能なステッキの側面図。
【図７】実施例に係る腰掛可能なステッキの前方座面と後方座面とを閉状態として、杖として使用する場合の正面図。
【図８】実施例に係る腰掛可能なステッキの前方座面と後方座面とを開状態として、椅子として使用する場合の正面図。
【図９】本発明に係る腰掛可能なステッキの前方座面と後方座面とを開状態として座面を形成し、使用者がこれに跨って使用する場合の正面模式図（左）及び側面模式図（右）。
【発明を実施するための最良の形態】
【００２４】
以下、図面を参照しながら、本発明に係る腰掛可能なステッキの実施形態及び実施例、その使用方法について説明する。なお、以下各図面を通して同一の構成要素には同一の符号を使用するものとする。
［腰掛可能なステッキ］
（実施形態）
【００２５】
図１は、杖として使用する場合の本発明に係る腰掛可能なステッキ１の正面図を表す。図１に示すように、本発明の腰掛可能なステッキ１は、上方に取手３０を、下方にステッキ部１０を有し、ステッキ部１０の上方に取り付けられた取手３０は、ステッキ部１０と平行に上下左右方向に広がる平面３１を含む。取手３０は、この取手３０が含む平面３１に垂直な方向を前後方向として（図１参照）、ステッキ１の側面図である図６に示すように、この前後方向に貫通するグリップ穴３２を有する。
【００２６】
なお、図１、図２において、上下および左右前後を便宜的に定義するが、本実施形態の腰掛可能なステッキ１は、原則的に前後及び左右に関しては対称であり、前と後及び右と左を同時に入れ替えてもステッキ１の形状は不変である。
【００２７】
さらに図１を参照して、本発明の腰掛可能なステッキ１は、ステッキ部１０の上端に固定されたキャップ部１２と、キャップ部１２の前後にステッキ部１０下方に対してそれぞれ直角より大きい角度で固定された前方台座１４Ｆ及び後方台座１４Ｂから成る一対の台座１４とを含む。すなわち、一対の台座１４は、ステッキ部１０の上方に向かって１８０度未満の角度を成して凹型となっている（ステッキ部１０の下方に向かって凸型）。この一対の台座１４を構成する前方台座１４Ｆ及び後方台座１４Ｂの成す角度は、ステッキ部１０の上方において１２０度以上１８０度未満が好適であるが、特に限定はされない。
【００２８】
次に、椅子として使用する場合のステッキ１の正面図である図２を用いて説明する。図２に示すように、本発明の腰掛可能なステッキ１は、前方台座１４Ｆ及び後方台座１４Ｂの上方に、それぞれ蝶番１６等によりキャップ部１２の前後に取り付けられた前方座面２０Ｆ及び後方座面２０Ｂを有している。前方座面２０Ｆと後方座面２０Ｂとは座面２０を形成し、本発明の腰掛可能なステッキ１の使用者は、前方座面２０Ｆと後方座面２０Ｂとを股からそれぞれ前後方向に突出させて座面２０に跨り、ステッキ１を椅子として使用することができる。
【００２９】
前方座面２０Ｆ及び後方座面２０Ｂは、それぞれ上面と下面を有し、開閉可能である。上記した図１に示す取手３０は、前方座面２０Ｆ及び後方座面２０Ｂの閉状態で構成され、前方座面２０Ｆ及び後方座面２０Ｂは開状態で、図２のような座面２０を構成する。
【００３０】
すなわち、本発明の腰掛可能なステッキ１において、前方座面２０Ｆ及び後方座面２０Ｂは、閉状態で、それぞれの上面同士が雌雄の面ファスナー２４などで相互に固着されて、図３（ａ）のように取手３０を形成する。また、前方座面２０Ｆ及び後方座面２０Ｂは、開状態で、図３（ｂ）のように、ステッキ部１０の下方に対して直角より大きい角度でキャップ部１２の前後方向に開いて、共に下面をそれぞれ前方台座１４Ｆと後方台座１４Ｂに支持されて、上面がステッキ部１０の上方に対して凹状（下方に対して凸状）となる前後一対の座面２０を形成する。
【００３１】
図５は、開状態における前方座面２０Ｆ及び後方座面２０Ｂをステッキ部１０の上方から見た平面図を表す。上述のように、使用者は前方座面２０Ｆと後方座面２０Ｂとをそれぞれ股から前後方向に突出させて使用できるが、このように座面２０に跨る場合、使用者は、上方に対して凹状に開いた前方台座１４Ｆ及び後方台座１４Ｂ間の谷間に位置するキャップ部１２上付近に、使用者の尻を位置させるのが好適である。この際、使用者の両足は、自ずとキャップ部１２の左右方向に配置されるため、前方座面２０Ｆ及び後方座面２０Ｂは図５のように台形状の板状体であることが好ましい。短辺と長辺と２つの斜辺から成る台形状の前方座面２０Ｆ及び後方座面２０Ｂの短辺同士をキャップ部１２側で対向させれば、使用者がキャップ部１２上付近に尻を位置させたときに両足をスムーズにキャップ部１２の左右に伸ばして座面２０に跨ることができ、前後方向の両足の収まりが良くなり好適である。
【００３２】
図３（ａ）、図３（ｂ）に示すように、本実施形態において、前方座面２０Ｆ及び後方座面２０Ｂは、前後の蝶番１６によりキャップ部１２に固定される。一片と他片とが開閉自在に結合された蝶番１６は、その一片がそれぞれ前方座面２０Ｆ及び後方座面２０Ｂの下面に取り付けられ、他片がそれぞれキャップ部１２の前後に直接螺子などで固定される。そして、前方台座１４Ｆ及び後方台座１４Ｂは、キャップ部１２の前後に直接固定された前後の蝶番１６の上から、螺子等を蝶番１６に貫通させるなどしてキャップ部１２の前後に固定される。
【００３３】
本発明の腰掛可能なステッキ１において、その構成要素であるステッキ部１０、キャップ部１２、台座１４、取手３０（座面２０）等の材料は特に限定されない。座面２０（取手３０）やステッキ部１０などを木製とすれば椅子や杖としての風情を出すことができるなどのメリットがあり、台座１４は座面２０を支持するため金属製とするのが好適であるが、これに限定されるわけではない。また、キャップ部１２の材料も任意で良いが、蝶番１６や台座１４を螺子などで固定するのであれば、これが貫通するように、少なくともキャップ部１２の前後は木製やプラスチック製とするのが好ましい。
【００３４】
以上説明した本発明に係る腰掛可能なステッキ１は、前方座面２０Ｆ及び後方座面２０Ｂの閉状態で、図１のように杖として使用することができる。前方座面２０Ｆと後方座面２０Ｂとは、その上面に設けた雌雄の面ファスナー２４により固着され、取手３０として機能する。取手３０には、図６のように、前後方向に貫通するグリップ穴３２が設けられており、本発明の腰掛可能なステッキ１の使用者が指を通して取手３０を握ることができる。
【００３５】
また、本発明に係る腰掛可能なステッキ１は、前方座面２０Ｆ及び後方座面２０Ｂの開状態で、図２のように椅子として使用することができる。すなわち、本発明の腰掛可能なステッキ１の使用者は、前方座面２０Ｆと後方座面２０Ｂとを股からそれぞれ前後方向に突出させて図９のように座面２０に跨り、足を休めて休息をとることができる。
【００３６】
本発明に係る腰掛可能なステッキ１は、従来の椅子兼用の杖と異なり、座面２０に跨って用いるため、ステッキ部１０に加えて両足を使ってバランスをとることができるので、安定性を保持するための補助脚を必要としない。そのため、ステッキ部１０は補助脚を収容する必要がなく、本発明の腰掛可能なステッキ１は、ステッキ部１０として通常の杖と同様の棒体を用いることができ、美観的にも重量的にも優れた効果を奏することができる。
【実施例１】
【００３７】
上記実施形態において、前方台座１４Ｆ及び後方台座１４Ｂは、キャップ部１２の前後に直接固定された前後の蝶番１６の上からキャップ部１２の前後に固定された（図３（ａ）、図３（ｂ）参照）。しかし、前方座面２０Ｆ及び後方座面２０Ｂのキャップ部１２への取付け手段は蝶番１６に限られず、他の取付け手段を用いても構わない。また、前方台座１４Ｆ及び後方台座１４Ｂのキャップ部１２への固定方法も、上記のように蝶番１６の上から螺子等を貫通させる方法に限定されない。
【００３８】
前方座面２０Ｆ及び後方座面２０Ｂは、図４（ａ）、図４（ｂ）に示す本実施例１に係る腰掛可能なステッキ１のように、前方台座１４Ｆ及び後方台座１４Ｂの上面にそれぞれ蝶番１６により取り付けてもよい。本実施例１に係る腰掛可能なステッキ１では、螺子などを用いて、前方台座１４Ｆ及び後方台座１４Ｂが直接キャップ部１２に固定される。そして、前方座面２０Ｆ及び後方座面２０Ｂは、前方台座１４Ｆ及び後方台座１４Ｂを介して間接的にキャップ部１２に固定される。
【００３９】
このような本実施例１に係る腰掛可能なステッキ１も、前方座面２０Ｆ及び後方座面２０Ｂの閉状態で図４（ａ）のように取手３０を形成し、開状態で図４（ｂ）のようにステッキ部１０の下方に対して前後に凸状に開いて、前後一対の座面２０を形成することができる。
【実施例２】
【００４０】
本実施例２に係る腰掛可能なステッキ１の構成は、基本的に上記実施形態及び実施例１と同様で、ステッキ部１０、キャップ部１２、台座１４、取手３０（座面２０）等の構成要素が有機的に結合し、前方座面２０Ｆ及び後方座面２０Ｂを開閉させることにより、杖及び椅子として機能させることができる。
【００４１】
本発明に係る腰掛可能なステッキ１は、本実施例２に示すように、図７、図８のような引掛け具４０を取り付けてもよい。引掛け具４０は、図７に示すように、上方固着面４２Ｕと下方引掛け面４２Ｄとを有し、一対の台座１４の少なくともいずれか一方の台座１４の下面に上方固着面４２Ｕを当接させて固着し、下方引掛け面４２Ｄをステッキ部１０下方に対して直角以下となるように配置するのが好適である。
【００４２】
図７を参照すると、引掛け具４０は、前方台座１４Ｆ及び後方台座１４Ｂの下方に、それぞれ設けられている。前後それぞれの引掛け具４０は、前方台座１４Ｆ及び後方台座１４Ｂのそれぞれの台座１４の下面に上方固着面４２Ｕが当接し、いずれも下方引掛け面４２Ｄがステッキ部１０に対して直角未満の角度を成すようにステッキ部１０に固定されている。そのため、引掛け具４０の下方引掛け面４２Ｄを棚や横棒、手摺などの水平な物に引掛けて、場所を取らずにステッキ１を片付けることができる。
【００４３】
また、図７、図８において、後方の引掛け具４０には貫通孔が設けられている。この貫通孔には、小型懐中電灯や鍵などを挿入して収納することができ、外出に必要な小物を携帯することができる。
【実施例３】
【００４４】
本実施例３では、上記実施例２で用いた図７、図８を用いて、本発明に係る腰掛可能なステッキ１に付加し得る機能を更に説明する。
【００４５】
実施例３に係る腰掛可能なステッキ１では、ステッキ部１０を外筒１０outと内筒１０inとで構成し、外筒１０outと内筒１０inのスライドによりステッキ部１０の全長を伸縮可能とした。内筒１０inを外筒１０outへ挿入する程度により、ステッキ部１０の全長を雄螺子などの固定具により何段階かに調節し、その長さを、座面２０に跨る使用者に適合させることができる。
【００４６】
また、上記実施形態、実施例では、前方座面２０Ｆ及び後方座面２０Ｂのそれぞれ上面に雌雄の面ファスナー２４を設け、前方座面２０Ｆと後方座面２０Ｂとを面ファスナー２４により固着したが、前方座面２０Ｆ及び後方座面２０ＢにそれぞれＮ極とＳ極の磁石を備える構成としてもよい。例えば前方座面２０Ｆに、その上面側にＮ極が向くように磁石を埋め込み、後方座面２０Ｂにはその上面側にＳ極が向くように磁石を埋め込んで、前方座面２０Ｆと後方座面２０Ｂとを閉状態で磁力により固着させる構成としてもよい。
［腰掛可能なステッキの使用方法］
【００４７】
本発明に係る腰掛可能なステッキ１の腰掛け方法は、
（Ａ１）前方座面２０Ｆと後方座面２０Ｂとが上面同士で固着された閉状態で取手３０を形成した、腰掛可能なステッキ１を準備するステップと、
（Ａ２）前方座面２０Ｆと後方座面２０Ｂとを開いて、それぞれの下面を前方台座１４Ｆと後方台座１４Ｂに支持させて開状態とし、座面２０を形成するステップと、
（Ａ３）ステッキ部１０の外筒と内筒のスライドによりステッキ部１０の全長を調節するステップと、
（Ａ４）前方座面２０Ｆと後方座面２０Ｂとを、それぞれ前後に突出させて、台座１４に跨るステップと、
を含む。
【００４８】
本発明に係る腰掛可能なステッキ１の杖としての使用方法は、
（Ｂ１）前方座面２０Ｆと後方座面２０Ｂのそれぞれの下面が前方台座１４Ｆと後方台座１４Ｂに支持された開状態で座面２０を形成した、腰掛可能なステッキ１を準備するステップと、
（Ｂ２）前方座面２０Ｆと後方座面２０Ｂの上面同士を固着させた閉状態で取手３０を形成するステップと、
（Ｂ３）ステッキ部１０の外筒と内筒のスライドによりステッキ部１０の全長を調節するステップと、
を含む。
【００４９】
以上、本発明に係る腰掛可能なステッキについて説明したが、本発明は上記実施形態や実施例に限定されるものではない。本発明に係るを構成する材料、材質、種類等は特に限定されず、その寸法、厚さも適宜変更可能である。
【００５０】
その他、本発明は、その主旨を逸脱しない範囲で当業者の知識に基づき種々の改良、修正、変更を加えた態様で実施できるものである。
【産業上の利用可能性】
【００５１】
本発明に係る腰掛可能なステッキは、通常は杖として利用できる他、遊園地や万博、あるいはバス停や飲食店などで行列に並ぶ際などに手軽に座面を形成して、これに跨って小休息する際に椅子として利用することができる。
【符号の説明】
【００５２】
１：本発明に係る腰掛可能なステッキ
１０：ステッキ部
１０out：外筒
１０in：内筒
１２：キャップ部
１４：台座
１４Ｆ：前方台座
１４Ｂ：後方台座
１６：蝶番
２０：座面
２０Ｆ：前方座面
２０Ｂ：後方座面
２２Ｆ：前方グリップ穴
２２Ｂ：後方グリップ穴
２４：雌雄の面ファスナー 
３０：取手
３１：平面
３２：グリップ穴
４０：引掛け具
４２Ｕ：上方固着面
４２Ｄ：下方引掛け面
【図１】
2019180704.tif 000003
【図２】
2019180704.tif 000004
【図３】
2019180704.tif 000005
【図４】
2019180704.tif 000006
【図５】
2019180704.tif 000007
【図６】
2019180704.tif 000008
【図７】
2019180704.tif 000009
【図８】
2019180704.tif 000010
【図９】
2019180704.tif 000011
【手続補正書】
【提出日】平成30年10月14日(2018.10.14)
【手続補正１】
【補正対象書類名】特許請求の範囲
【補正対象項目名】全文
【補正方法】変更
【補正の内容】
【特許請求の範囲】
【請求項１】
上方に取手を、下方にステッキ部を有し、
該ステッキ部の上方に取り付けられた該取手は、該ステッキ部と平行に上下左右方向に広がる平面を含み、該取手が含む該平面に垂直な方向を前後方向とするステッキであって、
前記ステッキ部の上端に固定されたキャップ部と、
前記キャップ部の前後に、前記ステッキ部下方に対してそれぞれ直角より大きい角度で固定された前方台座及び後方台座から成る一対の台座と、
共に上面と下面を有し、前記キャップ部の前後に取り付けられて、それぞれ前記前方台座及び前記後方台座の上方で開閉可能な前方座面及び後方座面と、
を含み、
前記前方座面及び前記後方座面が、
閉状態で、それぞれの前記上面同士が固着されると共に、それぞれの前記下面が前記ステッキ部と平行に上下左右方向に広がる平面を含むように前記取手を形成し、
開状態で、共に前記下面をそれぞれ前記前方台座及び前記後方台座に支持されて、上面が前記ステッキ部下方に対して凸状となる前後一対の座面を形成し、
使用者が前記前方座面と前記後方座面とを股から前後方向に突出させて跨ることができる、腰掛可能なステッキ。
【手続補正２】
【補正対象書類名】明細書
【補正対象項目名】全文
【補正方法】変更
【補正の内容】
【発明の詳細な説明】
【技術分野】
【０００１】
本発明は、椅子としても使用しうるステッキに関するものである。
【背景技術】
【０００２】
従来から、座面を支柱に取り付けて、椅子や腰掛けとして利用できるようにした杖やステッキは種々考案されている。従来の腰掛け兼用のステッキないし杖は、椅子として機能させる場合、ステッキの支柱に装着された複数の補助脚を開脚等して安定性を得るものが多く、また座面の取り付け位置については支柱の途中への設置が多くみられる。
【０００３】
例えば特許文献１に係るステッキは、開脚可能な複数の脚を軸支した第１の支柱と、この複数の脚を結束するために当該脚の先端に着脱自在に取り付けられた弾性部材と、第１の支柱に折曲自在に取り付けられた第２の支柱と、この第２の支柱の側面に取り付けられた腰掛部と、第２の支柱の先端部に取り付けられたグリップとを設けたものである。全体が１本の支柱で構成されているが、その支柱の筒体内に収まる範囲内に複数の脚を装着し、腰掛け部が杖の途中に取りつけられ、腰掛使用時には脚基部を中心に脚が放射状に開いて、グリップ部を取り付けた支柱上部が腰掛け部で折れ曲がる構成である。しかし、杖として使用する際に、座面が取手のすぐ下に位置していて杖としての美観が著しく損なわれる感がある。
【０００４】
また、特許文献２に係る椅子になる杖は、外筒および内筒から成る筒体の上端にグリップ孔を有し、取手兼座面となるべき折りたたみ式の板状体を装着し、内筒下端部に挿入した折りたたみ式椅子脚を外筒で覆い、外筒と内筒のスライドにより杖の全長を伸縮させる機能を有する。そして、杖使用時には取手兼座面中央部を支点に二つ折りにして垂直に固定し、椅子使用時には取手を開いて水平座面となし、内筒下端部に設けた椅子脚を放射状に開き付随する補強用支えを外筒と連結して筒体を垂直に保持する。
【０００５】
上記特許文献１に係るステッキは、支柱部分が多脚を備えているため通常の杖と比べて重く、また上述のように美観的にも杖としては使いづらいものである。また、特許文献２に係る椅子になる杖は、座面が支柱の上端に取り付けており、外観的には通常の杖に近いものであるが、補助足を杖先に収納するため、これも重量感は否めない。
【０００６】
以上のような、特許文献１や特許文献２を含む従来の腰掛け兼用のステッキないし杖は、いずれも座面を水平に設定して、これに両尻を載せて休息することを前提とした設計であった。すなわち、従来の腰掛け兼用のステッキないし杖は、座面を腰掛時に地面と水平に保持する必要があり、いずれの座面も平板であるという特徴があった。そのため、腰かけた使用者が後頭部から落ちないように、椅子として用いるステッキ自身が安定して立脚しなければならないために多数の脚でバランスを確保する必要があり、重量と美観の点でデメリットがあった。
【０００７】
【特許文献１】実開平５−８２３１２号公報
【特許文献２】特開２０１７−３５４１６号公報
【発明の概要】
【発明が解決しようとする課題】
【０００８】
本発明は、ステッキ上方に取手兼座面を備えた１本の棒体とし、跨って足を休めるため補助脚が不要で、外観的にすっきりとした腰掛可能なステッキを提供する。
【課題を解決するための手段】
【０００９】
本発明に係る腰掛可能なステッキは、上方に取手を、下方にステッキ部を有し、
該ステッキ部の上方に取り付けられた該取手は、該ステッキ部と平行に上下左右方向に広がる平面を含み、該取手が含む該平面に垂直な方向を前後方向とするステッキであって、
前記ステッキ部の上端に固定されたキャップ部と、
前記キャップ部の前後に、前記ステッキ部下方に対してそれぞれ直角より大きい角度で固定された前方台座及び後方台座から成る一対の台座と、
共に上面と下面を有し、前記キャップ部の前後に取り付けられて、それぞれ前記前方台座及び前記後方台座の上方で開閉可能な前方座面及び後方座面と、
を含み、
前記前方座面及び前記後方座面が、
閉状態で、それぞれの前記上面同士が固着されると共に、それぞれの前記下面が前記ステッキ部と平行に上下左右方向に広がる平面を含むように前記取手を形成し、
開状態で、共に前記下面をそれぞれ前記前方台座及び前記後方台座に支持されて、上面が前記ステッキ部下方に対して凸状となる前後一対の座面を形成し、
使用者が前記前方座面と前記後方座面とを股から前後方向に突出させて跨ることができる。
【００１０】
本発明に係る腰掛可能なステッキにおいて、前記前方座面及び前記後方座面は、共に、短辺と長辺と２つの斜辺から成る台形状の板状体であり、該前方座面及び該後方座面の該短辺同士を前記キャップ部側で対向させて、前後一対の前記座面を形成するのが好適である。
【００１１】
本発明に係る腰掛可能なステッキは、前記前方座面及び前記後方座面は、前記キャップ部の前後に蝶番により取り付けられてよい。あるいは、前記前方座面及び前記後方座面は、前記前方台座及び前記後方台座の上面にそれぞれ蝶番により取り付けられてもよい。
【００１２】
本発明に係る腰掛可能なステッキにおいて、前記取手は、該取手が含む前記平面に垂直な前後方向に貫通するグリップ穴を有する。
【００１３】
本発明に係る腰掛可能なステッキは、上方固着面と下方引掛け面とを有し、前記一対の台座の少なくともいずれか一方の台座の前記下面に該上方固着面を当接させて固着し、該下方引掛け面を前記ステッキ部下方に対して直角以下となるように配置した引掛け具を備えてもよい。
【００１４】
本発明に係る腰掛可能なステッキにおいて、前記ステッキ部は外筒と内筒を有し、該外筒と該内筒のスライドにより該ステッキ部の全長を伸縮可能とし得る。
【００１５】
本発明に係る腰掛可能なステッキは、前記前方台座と前記後方台座のそれぞれ上面に雌雄の面ファスナーが設けられ、前記台座が、閉状態で該前方台座と該後方台座とが固着され得る。
【００１６】
本発明に係る腰掛可能なステッキは、前記前方台座と前記後方台座にＮ極とＳ極の磁石が備えられ、前記台座が、閉状態で該前方台座と該後方台座とが固着されてもよい。
【００１７】
本発明に係る腰掛可能なステッキの腰掛け方法は、前記前方座面と前記後方座面とが上面同士で固着された閉状態で取手を形成した、前記記載の腰掛可能なステッキを準備するステップと、
前記前方座面と前記後方座面とを開いて、それぞれの下面を前記前方台座と前記後方台座に支持させて開状態とし、台座を形成するステップと、
前記ステッキ部の外筒と内筒のスライドにより該ステッキ部の全長を調節するステップと、
前記前方座面と前記後方座面とを、それぞれ前後に突出させて、前記座面に跨るステップと、
を含む。
【００１８】
本発明に係る腰掛可能なステッキの使用方法は、前記前方座面と前記後方座面のそれぞれの下面が前記前方台座と前記後方台座に支持された開状態で座面を形成した、上記腰掛可能なステッキを準備するステップと、
前記前方座面と前記後方座面の上面同士を固着させた閉状態で取手を形成するステップと、
前記ステッキ部の外筒と内筒のスライドにより該ステッキ部の全長を調節するステップと、
を含む。
【発明の効果】
【００１９】
本発明に係る腰掛可能なステッキは、前方座面及び後方座面の閉状態で、杖として使用することができる。前方座面と後方座面とは、雌雄の面ファスナー等により固着されて取手として機能するが、この取手には前後方向に貫通するグリップ穴が設けられており、本発明の腰掛可能なステッキの使用者が指を通して握って使用することができる。
【００２０】
また、本発明に係る腰掛可能なステッキは、前方座面及び後方座面の開状態で、椅子として使用することができる。前方座面及び後方座面は、この開状態で下方に向かって凸型に開き、下方に固定された台座に支持されるので、本発明の腰掛可能なステッキの使用者は、前方座面と後方座面とを股からそれぞれ前後方向に突出させて座面に跨り、足を休めて休息をとることができる。
【００２１】
本発明に係る腰掛可能なステッキは、従来の椅子兼用の杖と異なり座面に跨って用いるため、ステッキ部に加えて両足を使って、全体として３脚でバランスをとることができるので、公知例のように安定性を保持するための補助脚を必要としない。そのため、ステッキ部は補助脚を収容する必要がなく、ステッキ部として通常の杖と同様の棒体を用いることができ、美観的にも重量的にも優れた効果を奏することができる。更に、前方座面及び後方座面が開状態で形成する座面は、上記のように下方に向かって凸型、即ち上方に向かって凹状となるため、前方座面及び後方座面を前後に突出させて座面に跨る使用者が安定して跨ることができる。
【００２２】
以上のように、本発明に係る腰掛可能なステッキは、外観上はすっきりとした杖の形状を保ち歩行を補助するステッキとして機能するが、取手を構成する前方座面と後方座面とを開いて腰掛け座面を容易に得ることができる。したがって、遊園地や万博、あるいはバス停や飲食店などで行列に並ぶ際などに手軽に座面を形成して、これに跨って小休息することができる。
【図面の簡単な説明】
【００２３】
【図１】本発明に係る腰掛可能なステッキの前方座面と後方座面とを閉状態として、杖として使用する場合の正面図。
【図２】本発明に係る腰掛可能なステッキの前方座面と後方座面とを開状態として、椅子として使用する場合の正面図。
【図３】実施例に係る本発明の腰掛可能なステッキにおいて、前方座面と後方座面とを、（ａ）閉状態として杖として使用する場合の部分拡大正面図、 （ｂ）開状態として椅子として使用する場合の部分拡大正面図。
【図４】他の実施例に係る本発明の腰掛可能なステッキにおいて、前方座面と後方座面とを、（ａ）閉状態として杖として使用する場合の部分拡大正面図、 （ｂ）開状態として椅子として使用する場合の部分拡大正面図。
【図５】本発明に係る腰掛可能なステッキの平面図。
【図６】本発明に係る腰掛可能なステッキの側面図。
【図７】実施例に係る腰掛可能なステッキの前方座面と後方座面とを閉状態として、杖として使用する場合の正面図。
【図８】実施例に係る腰掛可能なステッキの前方座面と後方座面とを開状態として、椅子として使用する場合の正面図。
【図９】本発明に係る腰掛可能なステッキの前方座面と後方座面とを開状態として座面を形成し、使用者がこれに跨って使用する場合の正面模式図（左）及び側面模式図（右）。
【発明を実施するための最良の形態】
【００２４】
以下、図面を参照しながら、本発明に係る腰掛可能なステッキの実施形態及び実施例、その使用方法について説明する。なお、以下各図面を通して同一の構成要素には同一の符号を使用するものとする。
［腰掛可能なステッキ］
（実施形態）
【００２５】
図１は、杖として使用する場合の本発明に係る腰掛可能なステッキ１の正面図を表す。図１に示すように、本発明の腰掛可能なステッキ１は、上方に取手３０を、下方にステッキ部１０を有し、ステッキ部１０の上方に取り付けられた取手３０は、ステッキ部１０と平行に上下左右方向に広がる平面３１を含む。取手３０は、この取手３０が含む平面３１に垂直な方向を前後方向として（図１参照）、ステッキ１の側面図である図６に示すように、この前後方向に貫通するグリップ穴３２を有する。
【００２６】
なお、図１、図２において、上下および左右前後を便宜的に定義するが、本実施形態の腰掛可能なステッキ１は、原則的に前後及び左右に関しては対称であり、前と後及び右と左を同時に入れ替えてもステッキ１の形状は不変である。
【００２７】
さらに図１を参照して、本発明の腰掛可能なステッキ１は、ステッキ部１０の上端に固定されたキャップ部１２と、キャップ部１２の前後にステッキ部１０下方に対してそれぞれ直角より大きい角度で固定された前方台座１４Ｆ及び後方台座１４Ｂから成る一対の台座１４とを含む。すなわち、一対の台座１４は、ステッキ部１０の上方に向かって１８０度未満の角度を成して凹型となっている（ステッキ部１０の下方に向かって凸型）。この一対の台座１４を構成する前方台座１４Ｆ及び後方台座１４Ｂの成す角度は、ステッキ部１０の上方において１２０度以上１８０度未満が好適であるが、特に限定はされない。
【００２８】
次に、椅子として使用する場合のステッキ１の正面図である図２を用いて説明する。図２に示すように、本発明の腰掛可能なステッキ１は、前方台座１４Ｆ及び後方台座１４Ｂの上方に、それぞれ蝶番１６等によりキャップ部１２の前後に取り付けられた前方座面２０Ｆ及び後方座面２０Ｂを有している。前方座面２０Ｆと後方座面２０Ｂとは座面２０を形成し、本発明の腰掛可能なステッキ１の使用者は、前方座面２０Ｆと後方座面２０Ｂとを股からそれぞれ前後方向に突出させて座面２０に跨り、ステッキ１を椅子として使用することができる。
【００２９】
前方座面２０Ｆ及び後方座面２０Ｂは、それぞれ上面と下面を有し、開閉可能である。上記した図１に示す取手３０は、前方座面２０Ｆ及び後方座面２０Ｂの閉状態で構成され、前方座面２０Ｆ及び後方座面２０Ｂは開状態で、図２のような座面２０を構成する。
【００３０】
すなわち、本発明の腰掛可能なステッキ１において、前方座面２０Ｆ及び後方座面２０Ｂは、閉状態で、それぞれの上面同士が雌雄の面ファスナー２４などで相互に固着されて、図３（ａ）のように取手３０を形成する。また、前方座面２０Ｆ及び後方座面２０Ｂは、開状態で、図３（ｂ）のように、ステッキ部１０の下方に対して直角より大きい角度でキャップ部１２の前後方向に開いて、共に下面をそれぞれ前方台座１４Ｆと後方台座１４Ｂに支持されて、上面がステッキ部１０の上方に対して凹状（下方に対して凸状）となる前後一対の座面２０を形成する。
【００３１】
図５は、開状態における前方座面２０Ｆ及び後方座面２０Ｂをステッキ部１０の上方から見た平面図を表す。上述のように、使用者は前方座面２０Ｆと後方座面２０Ｂとをそれぞれ股から前後方向に突出させて使用できるが、このように座面２０に跨る場合、使用者は、上方に対して凹状に開いた前方台座１４Ｆ及び後方台座１４Ｂ間の谷間に位置するキャップ部１２上付近に、使用者の尻を位置させるのが好適である。この際、使用者の両足は、自ずとキャップ部１２の左右方向に配置されるため、前方座面２０Ｆ及び後方座面２０Ｂは図５のように台形状の板状体であることが好ましい。短辺と長辺と２つの斜辺から成る台形状の前方座面２０Ｆ及び後方座面２０Ｂの短辺同士をキャップ部１２側で対向させれば、使用者がキャップ部１２上付近に尻を位置させたときに両足をスムーズにキャップ部１２の左右に伸ばして座面２０に跨ることができ、前後方向の両足の収まりが良くなり好適である。
【００３２】
図３（ａ）、図３（ｂ）に示すように、本実施形態において、前方座面２０Ｆ及び後方座面２０Ｂは、前後の蝶番１６によりキャップ部１２に固定される。一片と他片とが開閉自在に結合された蝶番１６は、その一片がそれぞれ前方座面２０Ｆ及び後方座面２０Ｂの下面に取り付けられ、他片がそれぞれキャップ部１２の前後に直接螺子などで固定される。そして、前方台座１４Ｆ及び後方台座１４Ｂは、キャップ部１２の前後に直接固定された前後の蝶番１６の上から、螺子等を蝶番１６に貫通させるなどしてキャップ部１２の前後に固定される。
【００３３】
本発明の腰掛可能なステッキ１において、その構成要素であるステッキ部１０、キャップ部１２、台座１４、取手３０（座面２０）等の材料は特に限定されない。座面２０（取手３０）やステッキ部１０などを木製とすれば椅子や杖としての風情を出すことができるなどのメリットがあり、台座１４は座面２０を支持するため金属製とするのが好適であるが、これに限定されるわけではない。また、キャップ部１２の材料も任意で良いが、蝶番１６や台座１４を螺子などで固定するのであれば、これが貫通するように、少なくともキャップ部１２の前後は木製やプラスチック製とするのが好ましい。
【００３４】
以上説明した本発明に係る腰掛可能なステッキ１は、前方座面２０Ｆ及び後方座面２０Ｂの閉状態で、図１のように杖として使用することができる。前方座面２０Ｆと後方座面２０Ｂとは、その上面に設けた雌雄の面ファスナー２４により固着され、取手３０として機能する。取手３０には、図６のように、前後方向に貫通するグリップ穴３２が設けられており、本発明の腰掛可能なステッキ１の使用者が指を通して取手３０を握ることができる。
【００３５】
また、本発明に係る腰掛可能なステッキ１は、前方座面２０Ｆ及び後方座面２０Ｂの開状態で、図２のように椅子として使用することができる。すなわち、本発明の腰掛可能なステッキ１の使用者は、前方座面２０Ｆと後方座面２０Ｂとを股からそれぞれ前後方向に突出させて図９のように座面２０に跨り、足を休めて休息をとることができる。
【００３６】
本発明に係る腰掛可能なステッキ１は、従来の椅子兼用の杖と異なり、座面２０に跨って用いるため、ステッキ部１０に加えて両足を使ってバランスをとることができるので、安定性を保持するための補助脚を必要としない。そのため、ステッキ部１０は補助脚を収容する必要がなく、本発明の腰掛可能なステッキ１は、ステッキ部１０として通常の杖と同様の棒体を用いることができ、美観的にも重量的にも優れた効果を奏することができる。
【実施例１】
【００３７】
上記実施形態において、前方台座１４Ｆ及び後方台座１４Ｂは、キャップ部１２の前後に直接固定された前後の蝶番１６の上からキャップ部１２の前後に固定された（図３（ａ）、図３（ｂ）参照）。しかし、前方座面２０Ｆ及び後方座面２０Ｂのキャップ部１２への取付け手段は蝶番１６に限られず、他の取付け手段を用いても構わない。また、前方台座１４Ｆ及び後方台座１４Ｂのキャップ部１２への固定方法も、上記のように蝶番１６の上から螺子等を貫通させる方法に限定されない。
【００３８】
前方座面２０Ｆ及び後方座面２０Ｂは、図４（ａ）、図４（ｂ）に示す本実施例１に係る腰掛可能なステッキ１のように、前方台座１４Ｆ及び後方台座１４Ｂの上面にそれぞれ蝶番１６により取り付けてもよい。本実施例１に係る腰掛可能なステッキ１では、螺子などを用いて、前方台座１４Ｆ及び後方台座１４Ｂが直接キャップ部１２に固定される。そして、前方座面２０Ｆ及び後方座面２０Ｂは、前方台座１４Ｆ及び後方台座１４Ｂを介して間接的にキャップ部１２に固定される。
【００３９】
このような本実施例１に係る腰掛可能なステッキ１も、前方座面２０Ｆ及び後方座面２０Ｂの閉状態で図４（ａ）のように取手３０を形成し、開状態で図４（ｂ）のようにステッキ部１０の下方に対して前後に凸状に開いて、前後一対の座面２０を形成することができる。
【実施例２】
【００４０】
本実施例２に係る腰掛可能なステッキ１の構成は、基本的に上記実施形態及び実施例１と同様で、ステッキ部１０、キャップ部１２、台座１４、取手３０（座面２０）等の構成要素が有機的に結合し、前方座面２０Ｆ及び後方座面２０Ｂを開閉させることにより、杖及び椅子として機能させることができる。
【００４１】
本発明に係る腰掛可能なステッキ１は、本実施例２に示すように、図７、図８のような引掛け具４０を取り付けてもよい。引掛け具４０は、図７に示すように、上方固着面４２Ｕと下方引掛け面４２Ｄとを有し、一対の台座１４の少なくともいずれか一方の台座１４の下面に上方固着面４２Ｕを当接させて固着し、下方引掛け面４２Ｄをステッキ部１０下方に対して直角以下となるように配置するのが好適である。
【００４２】
図７を参照すると、引掛け具４０は、前方台座１４Ｆ及び後方台座１４Ｂの下方に、それぞれ設けられている。前後それぞれの引掛け具４０は、前方台座１４Ｆ及び後方台座１４Ｂのそれぞれの台座１４の下面に上方固着面４２Ｕが当接し、いずれも下方引掛け面４２Ｄがステッキ部１０に対して直角未満の角度を成すようにステッキ部１０に固定されている。そのため、引掛け具４０の下方引掛け面４２Ｄを棚や横棒、手摺などの水平な物に引掛けて、場所を取らずにステッキ１を片付けることができる。
【００４３】
また、図７、図８において、後方の引掛け具４０には貫通孔が設けられている。この貫通孔には、小型懐中電灯や鍵などを挿入して収納することができ、外出に必要な小物を携帯することができる。
【実施例３】
【００４４】
本実施例３では、上記実施例２で用いた図７、図８を用いて、本発明に係る腰掛可能なステッキ１に付加し得る機能を更に説明する。
【００４５】
実施例３に係る腰掛可能なステッキ１では、ステッキ部１０を外筒１０outと内筒１０inとで構成し、外筒１０outと内筒１０inのスライドによりステッキ部１０の全長を伸縮可能とした。内筒１０inを外筒１０outへ挿入する程度により、ステッキ部１０の全長を雄螺子などの固定具により何段階かに調節し、その長さを、座面２０に跨る使用者に適合させることができる。
【００４６】
また、上記実施形態、実施例では、前方座面２０Ｆ及び後方座面２０Ｂのそれぞれ上面に雌雄の面ファスナー２４を設け、前方座面２０Ｆと後方座面２０Ｂとを面ファスナー２４により固着したが、前方座面２０Ｆ及び後方座面２０ＢにそれぞれＮ極とＳ極の磁石を備える構成としてもよい。例えば前方座面２０Ｆに、その上面側にＮ極が向くように磁石を埋め込み、後方座面２０Ｂにはその上面側にＳ極が向くように磁石を埋め込んで、前方座面２０Ｆと後方座面２０Ｂとを閉状態で磁力により固着させる構成としてもよい。
［腰掛可能なステッキの使用方法］
【００４７】
本発明に係る腰掛可能なステッキ１の腰掛け方法は、
（Ａ１）前方座面２０Ｆと後方座面２０Ｂとが上面同士で固着された閉状態で取手３０を形成した、腰掛可能なステッキ１を準備するステップと、
（Ａ２）前方座面２０Ｆと後方座面２０Ｂとを開いて、それぞれの下面を前方台座１４Ｆと後方台座１４Ｂに支持させて開状態とし、座面２０を形成するステップと、
（Ａ３）ステッキ部１０の外筒と内筒のスライドによりステッキ部１０の全長を調節するステップと、
（Ａ４）前方座面２０Ｆと後方座面２０Ｂとを、それぞれ前後に突出させて、台座１４に跨るステップと、
を含む。
【００４８】
本発明に係る腰掛可能なステッキ１の杖としての使用方法は、
（Ｂ１）前方座面２０Ｆと後方座面２０Ｂのそれぞれの下面が前方台座１４Ｆと後方台座１４Ｂに支持された開状態で座面２０を形成した、腰掛可能なステッキ１を準備するステップと、
（Ｂ２）前方座面２０Ｆと後方座面２０Ｂの上面同士を固着させた閉状態で取手３０を形成するステップと、
（Ｂ３）ステッキ部１０の外筒と内筒のスライドによりステッキ部１０の全長を調節するステップと、
を含む。
【００４９】
以上、本発明に係る腰掛可能なステッキについて説明したが、本発明は上記実施形態や実施例に限定されるものではない。本発明に係るを構成する材料、材質、種類等は特に限定されず、その寸法、厚さも適宜変更可能である。
【００５０】
その他、本発明は、その主旨を逸脱しない範囲で当業者の知識に基づき種々の改良、修正、変更を加えた態様で実施できるものである。
【産業上の利用可能性】
【００５１】
本発明に係る腰掛可能なステッキは、通常は杖として利用できる他、遊園地や万博、あるいはバス停や飲食店などで行列に並ぶ際などに手軽に座面を形成して、これに跨って小休息する際に椅子として利用することができる。
【符号の説明】
【００５２】
１：本発明に係る腰掛可能なステッキ
１０：ステッキ部
１０out：外筒
１０in：内筒
１２：キャップ部
１４：台座
１４Ｆ：前方台座
１４Ｂ：後方台座
１６：蝶番
２０：座面
２０Ｆ：前方座面
２０Ｂ：後方座面
２２Ｆ：前方グリップ穴
２２Ｂ：後方グリップ穴
２４：雌雄の面ファスナー 
３０：取手
３１：平面
３２：グリップ穴
４０：引掛け具
４２Ｕ：上方固着面
４２Ｄ：下方引掛け面